(57)【要約】【課題】金庫扉に対する攻撃時間を延長させると共に、早期に異常を知らせる。【解決手段】シリンダー錠が取り付けられる金庫扉のリロッキング機構である。前記金庫扉の内側に、前記シリンダー錠が撃抜かれたときにシリンダー孔を強制的に塞ぐ孔閉鎖部を備えた。前記孔閉鎖部は、前記シリンダー孔を塞いで外部からの攻撃を防ぐシャッタと、前記シリンダー錠が撃抜かれたときに前記シャッタをガイドしてシリンダー孔を塞ぐシャッタガイドとを備えた。前記シャッタは、前記シリンダー錠が撃抜かれたときに支持を失って前記シャッタガイドにガイドされて前記シリンダー孔を塞ぐ。前記シャッタガイドは、前記シャッタが前記シリンダー孔を塞いだ状態でずれないように支持するシャッタ支持部を備えた。リロッキングシャフトの動きを検知したときアラームを発する制御部を備えた。【選択図】  図１
2010229677.tif 000002
【特許請求の範囲】
【請求項１】
シリンダー錠が取り付けられる金庫扉のリロッキング機構において、
前記金庫扉の内側に、前記シリンダー錠が撃抜かれたときに、当該シリンダー錠が取り付けられていたシリンダー孔を強制的に塞ぐ孔閉鎖部を備えたことを特徴とする金庫扉のリロッキング機構。
【請求項２】
請求項１に記載の金庫扉のリロッキング機構において、
前記孔閉鎖部が、前記シリンダー孔を塞いで外部からの攻撃を防ぐシャッタと、前記シリンダー錠が撃抜かれたときに前記シャッタをガイドしてシリンダー孔を塞ぐシャッタガイドとを備えたことを特徴とする金庫扉のリロッキング機構。
【請求項３】
請求項２に記載の金庫扉のリロッキング機構において、
前記シャッタが、前記シャッタガイドに取り付けられた状態で前記シリンダー錠に当接して支持され、当該シリンダー錠が撃抜かれたときに支持を失って前記シャッタガイドにガイドされて前記シリンダー孔を塞ぐことを特徴とする金庫扉のリロッキング機構。
【請求項４】
請求項２又は３に記載の金庫扉のリロッキング機構において、
前記シャッタガイドが、前記シャッタをスライド可能に支持するスライド溝と、当該スライド溝の下端部に設けられ、前記シャッタが前記スライド溝をスライドして前記シリンダー孔を塞いだ状態で当該シャッタがずれないように支持するシャッタ支持部とを備えたことを特徴とする金庫扉のリロッキング機構。
【請求項５】
請求項１乃至４のいずれか１項に記載の金庫扉のリロッキング機構において、
前記シリンダー錠に対する攻撃に連動してスライドするリロッキングシャフトの動きを検知するシャフト検知部と、当該シャフト検知部で前記リロッキングシャフトの動きを検知したときアラームを発する制御部とを備えたことを特徴とする金庫扉のリロッキング機構。
【請求項６】
請求項４又は５に記載の金庫扉のリロッキング機構において、
前記スライド溝のシャッタ支持部の下部に、前記シャッタを案内して当該シャッタ支持部内に嵌合させる傾斜面を備えたことを特徴とする金庫扉のリロッキング機構。
【発明の詳細な説明】
【技術分野】
【０００１】
本発明は、ＡＴＭ（現金自動預払機）の金庫等に、防犯対策として設置される金庫扉のリロッキング機構に関するものである。
【背景技術】
【０００２】
ＡＴＭ（現金自動預払機）の金庫等においては、防犯対策のために、その扉部分にリロッキング機構が設けられている。リロッキング機構は、扉のシリンダー錠への外部からの攻撃（シリンダー錠の撃抜き）に対して緊急ロックを施すための装置である。このリロッキング機構の一例を図２に示す。
【０００３】
金庫の扉は、出没動する閂(図示せず)で固定される。この閂は、閂解除リンク１に連結され、この閂解除リンク１が上下動することで閂が扉から出没動作するようになっている。
【０００４】
そして、シリンダー錠２が開錠されて扉の開閉レバー(図示せず)が回動されることで、閂解除リンク１が上下動して閂を扉内に収納させてロックを解除し、レバーが逆方向に回動されることで、閂解除リンク１が逆方向に上下動して閂を扉内から延出させて扉をロックするようになっている。
【０００５】
リロッキング機構３は、金庫に対する外部からの攻撃に対してこの閂解除リンク１を固定することで金庫の扉のロックが解除されないようにする機構である。
【０００６】
リロッキング機構３は、図２に示すシリンダー錠２に対する攻撃に連動してずれるリロッキング金具４と、閂解除リンク１の動作をロックするためのリロッキングシャフト５と、リロッキングシャフト５を動作させるためのセットスプリング６と、扉が開けられたことを検知してアラームを発するための扉開検知センサ(図示せず)と、全体を制御する制御基板(図示せず)とから構成されている。
【０００７】
このような構成のリロッキング機構３では、シリンダー錠２が攻撃により撃抜かれたら、このシリンダー錠２に押されてリロッキング金具４がずれて、リロッキングシャフト５がこのリロッキング金具４ら外れる。これにより、セットスプリング６がリロッキングシャフト５を押して、リロッキングシャフト５の先端を閂解除リンク１に嵌合させてこの閂解除リンク１を固定する。これにより、緊急ロックがかかり、金庫扉が開かれないようになっている。
【０００８】
このような、外部からの攻撃に対して緊急ロックをかけるリロッキング機構の例として特許文献１、２がある。
【先行技術文献】
【特許文献】
【０００９】
【特許文献１】特開２００２−１０６２１６号公報
【特許文献２】特開２００７−７７６６１号公報
【発明の概要】
【発明が解決しようとする課題】
【００１０】
しかしながら、上述のようなリロッキング機構では、シリンダー錠２が撃抜かれた後、このシリンダー錠２が取付けられていた孔が開いたままとなる。そしてこの孔から針金等の細長い工具類で金庫扉の内部を探られ、ロックがかかっているリロッキングシャフト５を解除されてしまうおそれがある。
【００１１】
また、扉開検知センサは、金庫の扉が開かれるまで反応せず、扉が開かれて始めてアラームを発する。このように、金庫のロックが解除されて扉が開かれるまではアラームを発しないため、警備員が現場へ駆けつけるのが遅くなってしまう。即ち、金庫のロックが解除された後であっても、扉が開けられるまではアラームを発しないため、扉を開ける前に逃走のための準備時間を与えてしまうことになるという問題点があった。
【００１２】
本発明は、これら従来技術の問題点を解決するためのものであり、シリンダー錠が撃抜かれても工具類を金庫扉の内部に挿入できないようにすると共に、早期に異常を検知してアラームを発する金庫扉のリロッキング機構を提供することを目的とする。
【課題を解決するための手段】
【００１３】
本発明は上述した課題に鑑みてなされたもので、本発明に係る金庫扉のリロッキング機構は、前記金庫扉の内側に、前記シリンダー錠が撃抜かれたときにシリンダー孔を強制的に塞ぐ孔閉鎖部を備えた。前記孔閉鎖部は、前記シリンダー孔を塞いで外部からの攻撃を防ぐシャッタと、前記シリンダー錠が撃抜かれたときに前記シャッタをガイドしてシリンダー孔を塞ぐシャッタガイドとを備えた。前記シャッタは、前記シリンダー錠が撃抜かれたときに支持を失って前記シャッタガイドにガイドされて前記シリンダー孔を塞ぐ。前記シャッタガイドは、前記シャッタが前記シリンダー孔を塞いだ状態でずれないように支持するシャッタ支持部を備えた。リロッキングシャフトの動きを検知したときアラームを発する制御部を備えた。
【発明の効果】
【００１４】
シリンダー錠が撃抜かれると、シャッタがシリンダー孔を強制的に塞いで、攻撃時間を延長させる。即ち、シリンダー孔から針金等の工具や、指などが金庫扉の内部への侵入するのをシャッタが防いで、攻撃時間を延長させることができる。
【００１５】
また、シリンダー錠が撃抜かれたときロッキングシャフトの動きを検知して、金庫扉が開けられる前にアラームを発して、早期に異常を検知できる。
【図面の簡単な説明】
【００１６】
【図１】本発明に係る金庫扉のリロッキング機構を示す概略構成図である。
【図２】従来の金庫扉のリロッキング機構を示す概略構成図である。
【図３】本発明に係る金庫扉のリロッキング機構のシャフト検知部を示す構成図である。
【図４】本発明に係る金庫扉のリロッキング機構のリロッキング金具を示す斜視図である。
【図５】本発明に係る金庫扉のリロッキング機構の孔閉鎖部を示す側面図である。
【図６】本発明に係る金庫扉のリロッキング機構の孔閉鎖部を示す正面図である。
【図７】本発明に係る金庫扉のリロッキング機構の孔閉鎖部をシリンダー錠が撃抜かれた状態で示す側面図である。
【図８】本発明に係る金庫扉のリロッキング機構のシャフト検知部を示す構成図である。
【図９】本発明の変形例を示す側面図である。
【発明を実施するための形態】
【００１７】
以下、本発明の実施形態について図面を参照して説明する。本実施形態に係るリロッキング機構は、上述した従来のリロッキング機構３に、金庫扉への攻撃の時間を延ばすと共に攻撃を早期に検知できるように改良したものである。本実施形態のリロッキング機構は、従来のリロッキング機構３と同様に、金庫扉に組み込まれるものであるため、同一部材には同一符号を付してその説明を省略する。
【００１８】
本実施形態のリロッキング機構１１の全体構成を図１に基づいて説明する。リロッキング機構１１は、閂解除リンク１とシリンダー錠２との間に、これらを連動させるように設けられている。シリンダー錠２は、金庫の扉を開錠するための部材である。このシリンダー錠２は、金庫扉に設けられたシリンダー孔６（図５参照）に挿入して取り付けられている。閂解除リンク１は、上下にスライド可能に設けられて閂(図示せず)に連結されている。さらに、閂解除リンク１は、金庫扉の外側面に設けられた開閉レバーにも連結され、この開閉レバーの回動によって上下にスライドするようになっている。そして、この閂解除リンク１が上下にスライドすることで、閂が金庫扉から出没して、金庫扉をロックしたり、ロックを解除したりするようになっている。
【００１９】
リロッキング機構１１は、シリンダー錠２に対する攻撃に連動して閂解除リンク１を固定するための機構である。このリロッキング機構１１は主に、リンク固定部１２と、孔閉鎖部１３と、シャフト検知部１４とから構成されている。
【００２０】
リンク固定部１２は、従来のリロッキング機構３と同様に、シリンダー錠２に対する攻撃に連動してずれるリロッキング金具１６と、閂解除リンク１の動作をロックするためのリロッキングシャフト１７と、リロッキングシャフト１７を動作させるためのセットスプリング１８とから構成されている。
【００２１】
リロッキング金具１６はカンチレバー構造になっている。すなわち、リロッキング金具１６は、図１，４に示すように、帯状の板材で構成され、その一端が２つのネジ２０で固定され、他端が自由端となっている。そして、リロッキング金具１６の他端は、ほぼ直角に折り返され、その先端に半円状の嵌合切り欠き２１が設けられている。この嵌合切り欠き２１は、リロッキングシャフト１７の基端部に嵌合してリロッキングシャフト１７を支持すると共にリロッキングシャフト１７から容易に抜け落ちることができるようになっている。リロッキング金具１６は、シリンダー錠２が挿入されるシリンダー孔６を覆って設けられている。これにより、シリンダー錠２が撃抜かれると、リロッキング金具１６が撓んでリロッキングシャフト１７から外れるようになっている。即ち、一端が固定されてシリンダー孔６を塞いだリロッキング金具１６は、撃抜かれたシリンダー錠２に押されて撓んで他端がずれ、嵌合切り欠き２１がリロッキングシャフト１７から容易に外れるようになっている。
【００２２】
リロッキングシャフト１７は、閂解除リンク１に嵌合して閂解除リンク１の動作をロックするためのシャフトである。リロッキングシャフト１７は、図１，３に示すように、棒状の部材で構成され、支持金具１９にスライド可能に支持されている。支持金具１９は、リロッキングシャフト１７をスライド可能に支持する２枚の支持板部１９Ａと、これら２枚の支持板部１９Ａを一体的に連結して扉の内側面に固定するための連結板部１９Ｂとから構成されている。
【００２３】
各支持板部１９Ａには、リロッキングシャフト１７と同じ断面形状の支持孔（図示せず）が設けられている。リロッキングシャフト１７はこの支持孔に挿入されて、スライド可能に支持されている。連結板部１９Ｂは、２つのネジ２２で金庫扉の内側面に固定されている。２つの支持板部１９Ａの一方（図１中の右側の支持板部１９Ａ）は、セットスプリング１８の一端を支持するバネ受け板としての機能も有している。
【００２４】
リロッキングシャフト１７の基端部には環状溝（図示せず）が形成され、この環状溝にリロッキング金具１６の嵌合切り欠き２１が嵌合して互いに連結されるようになっている。リロッキングシャフト１７の中間部には、接点プレート２３が設けられている。この接点プレート２３は、導電性の円盤状板材で構成され、セットスプリング１８の他端に当接すると共に後述する２つの接点３４，３５を電気的に接続するスイッチ板となっている。
【００２５】
セットスプリング１８は、リロッキングシャフト１７をスライドさせるためのスプリングである。セットスプリング１８は、リロッキングシャフト１７にはめ込まれた状態で、その一端が支持金具１９の支持板部１９Ａに当接し、他端が接点プレート２３に当接して、リロッキングシャフト１７を閂解除リンク１側へ付勢している。これにより、リロッキング金具１６がリロッキングシャフト１７から外れることで、セットスプリング１８がリロッキングシャフト１７を閂解除リンク１側へスライドさせるようになっている。即ち、リロッキングシャフト１７を再施錠動作させるようになっている。
【００２６】
孔閉鎖部１３は、シリンダー錠２が撃抜かれたときにシリンダー孔６を強制的に塞ぐための機構である。この孔閉鎖部１３は、図１，５〜７に示すように、シャッタ２６と、シャッタガイド２７と、シャッタセットスプリング２８とから構成されている。
【００２７】
シャッタ２６は、外部からの攻撃を防ぐための板材である。シャッタ２６は、シリンダー孔６を塞ぐ位置に配設されている。このシャッタ２６は、シリンダー孔６を塞ぐ大きさの硬い四角形板材で構成されている。ほぼ四角形のシャッタ２６の両側には、後述するスライド溝３１にスライド可能に嵌合するスライド片２６Ａが設けられている。シャッタ２６は、シリンダー錠２が撃抜かれたときにシリンダー孔６を塞いで工具等の進入を阻止する。シャッタ２６は、通常シリンダー錠２に当接して支持されている。これにより、シリンダー錠２が撃抜かれると、その支持をなくしてシャッタセットスプリング２８で押され、シリンダー孔６を塞ぐようになっている。シャッタ２６の上部には、シャッタセットスプリング２８を受けるためのバネ受け突起２６Ｂが形成されている。
【００２８】
シャッタガイド２７は、シャッタ２６をガイドするための部材である。シャッタガイド２７は、２枚の側板２７Ａと、バネ受け板２７Ｂと、背面板２７Ｃとから構成されている。
【００２９】
２枚の側板２７Ａには、シャッタ２６がスライド可能に支持されるスライド溝３１が設けられている。このスライド溝３１は、縦方向に長く形成され、シャッタ２６の両側のスライド片２６Ａが嵌合してシャッタ２６を縦方向にスライド可能に支持している。
【００３０】
スライド溝３１の下端部には、シャッタ支持部３２が形成されている。このシャッタ支持部３２は、シャッタ２６がスライド溝３１をスライドして、シリンダー孔６を塞いだ状態で、このシャッタ２６がずれないように支持するための凹部である。シャッタ支持部３２は、具体的には、スライド溝３１の下端部を金庫の内側方向へ、シャッタ２６よりも少し大きい凹状に切り欠いて形成されている。
【００３１】
バネ受け板２７Ｂは、シャッタガイド２７の上部を折り返して形成されている。バネ受け板２７Ｂは、シャッタセットスプリング２８の上端に当接してシャッタセットスプリング２８を支持する。
【００３２】
背面板２７Ｃは、２枚の側板２７Ａとバネ受け板２７Ｂとを一体的に支持して金庫扉の固定される部材である。背面板２７Ｃは、側板２７Ａのシャッタ支持部３２がシリンダー孔６に整合する位置に取り付けられる。背面板２７Ｃは、側板２７Ａのシャッタ支持部３２に整合する部分が取り除かれて、シリンダー孔６を塞がないようになっている。
【００３３】
シャッタセットスプリング２８は、シャッタ２６を付勢してシャッタ２６のスライド動作を補助するためのスプリングである。シャッタセットスプリング２８は、その一端がシャッタガイド２７の上部に形成されたバネ受け板２７Ｂに支持され、他端がシャッタ２６に当接している。これにより、シャッタ２６を、シリンダー孔６を塞ぐ方向へ付勢している。
【００３４】
シャフト検知部１４は、シリンダー錠２に対する攻撃に連動してスライドするリロッキングシャフト１７の動きをいち早く検知するための装置である。このシャフト検知部１４は、上述した接点プレート２３と、リロッキングシャフト１７の支持金具１９側に支持された２つの接点３４，３５とから構成されている。
【００３５】
接点プレート２３は、図８に示すように、リロッキングシャフト１７が嵌合する嵌合孔２３Ａと、２つの接点３４，３５に同時に接触する接触板部２３Ｂとを備えている。そして、この嵌合孔２３Ａにリロッキングシャフト１７を嵌合した状態で接点プレート２３をリロッキングシャフト１７に固定して、接触板部２３Ｂが２つの接点３４，３５に同時に接触するようになっている。
【００３６】
２つの接点３４，３５は、接点プレート２３の接触板部２３Ｂが接触することで短絡して、リロッキングシャフト１７の動きを検知するための部材である。２つの接点３４，３５は、後述する扉開検知センサ３７と制御基板３９とをつなぐケーブル３８にそれぞれ設けられている。そして、接点プレート２３の接触板部２３Ｂが接触して２つの接点３４，３５が短絡することで、後述する制御基板３９がこの短絡を検知してアラームを発するようになっている。これにより、接点プレート２３の接触板部２３Ｂが２つの接点３４，３５に接触することで、シリンダー錠２に対する攻撃に連動してスライドするリロッキングシャフト１７の動きをいち早く検知する。２つの接点３４，３５は、支持金具１９の支持板部１９Ａ側に支持され、リロッキングシャフト１７がセットスプリング１８に押されて閂解除リンク１に嵌合した状態で、接点プレート２３に接触する位置に設けられている。
【００３７】
金庫扉の裏面には、扉開検知センサ３７が設けられている。この扉開検知センサ３７は、金庫扉が開いたことを検知するためのセンサである。扉開検知センサ３７は、ケーブル３８を介して制御基板３９に接続されている。扉開検知センサ３７は、扉の開放を検知したときに、検知信号を制御基板３９に出力する。制御基板３９は、扉開検知センサ３７の検知信号を受けてアラームを発すると共に、シャフト検知部１４の２つの接点３４，３５に接点プレート２３が接触して短絡したことを検知してアラームを発するための制御部である。シャフト検知部１４の２つの接点３４，３５に接点プレート２３が接触してアラームを発することで、シリンダー錠２に対する攻撃に連動してスライドするリロッキングシャフト１７の動きをいち早く検知し、警備員による迅速な対応を可能にしている。
【００３８】
以上のように構成されたリロッキング機構１１は次のように動作する。
【００３９】
シリンダー錠２が外部からの攻撃により撃抜かれると、このシリンダー錠２を覆うように配設されたリロッキング金具１６が変形する。即ち、基端部を固定されて先端部が自由端になったカンチレバー状のリロッキング金具１６が撓んで変形し、その先端部がずれる。これにより、リロッキング金具１６の先端部が、リロッキングシャフト１７の環状溝に嵌合した状態から、外れてしまう。即ち、リロッキング金具１６が変形すると、その先端部の嵌合切り欠き２１がリロッキングシャフト１７の環状溝から外れる。これにより、リロッキングシャフト１７の固定が解除され、リロッキングシャフト１７は、セットスプリング１８により閂解除リンク１の方向（図７矢印方向）に押されてスライドし、この閂解除リンク１に嵌合して閂解除リンク１を固定する（図３の状態）。これにより、閂解除リンク１に連結された閂も固定され、金庫扉のロックを解除できなくなる。
【００４０】
これと同時に、リロッキングシャフト１７に取り付けられた接点プレート２３が扉開検知センサ３７のケーブル３８に設けられた接点３４，３５に接触する。これにより、ケーブル３８が短絡し、制御基板３９は、この短絡を検知してアラームを発する。
【００４１】
また、シリンダー錠２が撃抜かれると、このシリンダー錠２に支持されていた孔閉鎖部１３のシャッタ２６が、その支持を失うため、シャッタセットスプリング２８に押されてシャッタガイド２７のスライド溝３１をスライドしてシャッタ支持部３２に嵌合する。これにより、シャッタ２６でシリンダー孔６が強制的に塞がれる。シャッタ支持部３２に嵌合したシャッタ２６は、上方へ押し上げることができず、細長い工具類がシリンダー孔６から金庫の内部に挿入されるのを防ぐ。
【００４２】
これにより、金庫扉が開くまで時間を要し、金庫扉が開く前に、前記アラームを聞いた警備員が現場に駆けつけることができる。
【００４３】
以上のように、シリンダー錠２が撃抜かれると、シャッタ２６がシリンダー孔６を強制的に塞いで、攻撃時間を延長させるという効果が得られる。即ち、シリンダー孔６から針金等の工具や、指などが金庫扉の内部への侵入するのをシャッタ２６が防ぎ、再度シャッタ２６を攻撃しなくてはいけないようにして、攻撃時間を延長させるという効果が得られる。
【００４４】
また、シリンダー錠２が撃抜かれると、ロッキングシャフト１７がスライドして、シャフト検知部１４がそのスライドを検知して、金庫扉が開けられる前にアラームを発するため、早期に異常を検知して、警備員などが駆けつけるまでの時間が増えるという効果が得られる。
【００４５】
［変形例］
前記実施形態では、金庫に取り付けられる扉について説明したが、ここでいう金庫扉とは、金庫に類する筐体の扉全てに適用することができる。
【００４６】
前記実施形態では、シャッタ２６をシリンダー錠２に当接して支持する構成にしたが、リロッキング金具１６や、リロッキングシャフト１７に連動してシャッタ２６がシリンダー孔６を塞ぐようにしてもよい。
【００４７】
また、スライド溝３１のシャッタ支持部３２の下部には、図９のように、傾斜面３３を設けても良い。この傾斜面３３によりシャッタ２６が案内されてシャッタ支持部３２内に嵌合する。即ち、シャッタ２６は、シャッタセットスプリング２８で押されてスライド溝３１を下方へスライドして、傾斜面３３でシャッタ支持部３２側へスライドし、シャッタ支持部３２に嵌合する。これにより、シャッタ２６が上方へずらされるのを確実に防止できる。
【００４８】
また、前記実施形態では、シャッタ２６を上から下にスライドしてシリンダー孔６を塞ぐように構成したが、下から上へ、横方向へ、または斜め方向へスライドして、シリンダー孔６を塞ぐようにしてもよい。シャッタ２６はシャッタセットスプリング２８で付勢されるため、いずれの方向から付勢してもよい。
【００４９】
また前記実施形態では、シャッタ２６を付勢するシャッタセットスプリング２８を設けたが、シャッタ２６が自重でシャッタ支持部３２に確実に嵌合できる場合は、シャッタセットスプリング２８を設けなくてもよい。
【産業上の利用可能性】
【００５０】
本発明は、シリンダー錠２を備えた全てのタイプの金庫に適用することができる。また、金庫に限らず、シリンダー錠２を備えた扉全てに適用することができる。
【符号の説明】
【００５１】
１：閂解除リンク、２：シリンダー錠、６：シリンダー孔、１１：リロッキング機構、１２：リンク固定部、１３：孔閉鎖部、１４：シャフト検知部、１６：リロッキング金具、１７：リロッキングシャフト、１８：セットスプリング、１９：支持金具、１９Ａ：支持板部、１９Ｂ：連結板部、２０：ネジ、２１：嵌合切り欠き、２３：接点プレート、２３Ａ：嵌合孔、２３Ｂ：接触板部、２６：シャッタ、２６Ａ：スライド片、２６Ｂ：バネ受け突起、２７：シャッタガイド、２７Ａ：側板、２７Ｂ：バネ受け板、２７Ｃ：背面板、２８：シャッタセットスプリング、３１：スライド溝、３２：シャッタ支持部、３３：傾斜面、３４，３５：接点、３７：扉開検知センサ、３８：ケーブル、３９：制御基板。
【図１】
2010229677.tif 000003
【図２】
2010229677.tif 000004
【図３】
2010229677.tif 000005
【図４】
2010229677.tif 000006
【図５】
2010229677.tif 000007
【図６】
2010229677.tif 000008
【図７】
2010229677.tif 000009
【図８】
2010229677.tif 000010
【図９】
2010229677.tif 000011